(57)【要約】【課題】封筒やクリアファイル等に入れることが出来、保管する際の選択肢を広げ、コピー機やスキャナで読み込むことが出来る、取り扱いに便利な色紙を提供すること。【解決手段】色紙が、ＪＩＳ規格に定められたＡ列またはＢ列の仕上がり寸法を有していること。また、色紙が砂子紙又は洋紙層、中芯層、和紙又は上質紙層の三層からなること。また、中芯層が再生材であること。また、色紙がＪＩＳ規格に定められたＡ４判であること。また、色紙がＪＩＳ規格に定められたＢ５判であること。【選択図】図２
0003176688.tif 000002
【実用新案登録請求の範囲】
【請求項１】
ＪＩＳ規格に定められたＡ列またはＢ列の仕上がり寸法を有していることを特徴とする色紙。
【請求項２】
前記色紙が、砂子紙又は洋紙層、中芯層、和紙又は上質紙層の三層からなることを特徴とする請求項１に記載の色紙。
【請求項３】
前記中芯層が再生材であることを特徴とする請求項２に記載の色紙。
【請求項４】
前記色紙がＪＩＳ規格に定められたＡ４判であることを特徴とする請求項１ないし請求項３に記載の色紙。
【請求項５】
前記色紙がＪＩＳ規格に定められたＢ５判であることを特徴とする請求項１ないし請求項３に記載の色紙。
【考案の詳細な説明】
【技術分野】
【０００１】
本考案は、サインや寄せ書き等をする際に使用される色紙（しきし）、または画材として使用される色紙（しきし）に関する。
【背景技術】
【０００２】
従来、色紙の寸法は横２４２×縦２７２ｍｍのものが最も一般的であり、それ以外のものでは６０×９０ｍｍのかるた判、２４２×３３３ｍｍのＦ４判、３２０×４１０ｍｍのＦ６判などがある。
【０００３】
一方、一般的に市販されているコピー用紙やクリアファイル、封筒などで採用されている寸法はＪＩＳ規格で定められている。寸法の系統にはＡ列、Ｂ列、四六判、菊判、ハトロン判、ＡＢ判などがあり、その中でもＡ列またはＢ列であることが通常である。つまり、これらの寸法は色紙において採用されている寸法とは異なるものである。
【０００４】
この寸法の相違は、色紙に使用される和紙の寸法に起因するものである。和紙の寸法は「切」、「裁」、「折」等の単位で表されるが、これらは全紙からいくつに裁ち切ったかを示すものである。例えば「六裁」とあれば、全紙を六つに裁ち切った状態・寸法を意味する。なお、和紙の全紙の寸法は、和紙を漉くための道具である漉簀や桁の大きさによって決まるものである。
【０００５】
このような寸法の相違により、色紙を封筒やファイルに入れようとしても、入れることが出来ない。また、色紙を保管する場合には額縁に入れるか、食品包装用ラップフィルムで覆うことも行われているが、前者では特注品になってしまうため費用がかかり、後者では見栄えが良くない。本棚等に保管しようとしても色紙が棚からはみ出てしまい、結局引き出しや段ボール等に詰めて仕舞い込んでしまうことが多々ある。さらに、コピー機やスキャナなどで原稿を読み込む場合においても、これら機械は読み込む原稿がＪＩＳ規格のＡ列またはＢ列であることを前提として作られているため、色紙全体をうまく読み込むことが出来ない等、その取り扱いについては問題点があった。
【０００６】
このような不便を解消するため、色紙の大きさに合わせた封筒が実用新案登録第３０６６５５９号に記載されている。しかしながら、上述のような問題点を根本的に解決するには至っていない。
【０００７】
【特許文献１】実用新案登録第３０６６５５９号
【考案の開示】
【考案が解決しようとする課題】
【０００８】
そこで、本考案は、封筒やクリアファイル等に入れることが出来、保管する際の選択肢を広げ、コピー機やスキャナで読み込むことが出来る、取り扱いに便利な色紙を提供することを目的とする。
【課題を解決するための手段】
【０００９】
前記目的を達成するため、本考案の色紙は、
ＪＩＳ規格に定められたＡ列またはＢ列の仕上がり寸法を有していることからなる。
また、前記色紙が、砂子紙又は洋紙層、中芯層、和紙又は上質紙層の三層からなることが好適である。
また、前記中芯層が再生材であることが好適である。
また、前記色紙がＪＩＳ規格に定められたＡ４判であることが好適である。
また、前記色紙がＪＩＳ規格に定められたＢ５判であることが好適である。
【００１０】
本考案の色紙がＡ列またはＢ列の寸法であるのは、この寸法が封筒やファイルなどにおいて最も一般的であるためである。Ａ列には例えば２９７×４２０ｍｍのＡ３判、２１０×２９７ｍｍのＡ４判、１４８×２１０ｍｍのＡ５判、１０５×１４８ｍｍのＡ６判、Ｂ列には３６４×５１５ｍｍのＢ３判、２５７×３６４ｍｍのＢ４判、１８２×２５７ｍｍのＢ５判、１２８×１８２ｍｍのＢ６判などがある。なお、ＩＳＯ２１６においては、１５０ｍｍ以下の大きさでは±１．５ｍｍ、１５０ｍｍ以上６００ｍｍ以下の大きさでは±２．０ｍｍ、６００ｍｍ以上の大きさでは±３．０ｍｍの許容誤差が規定されているので、本考案においてもこの許容誤差に準じる。
【００１１】
本考案の中芯層には、再生材が用いられる。再生材には、低コスト・廃材再利用の観点から主に古紙パルプが使用されるがこれに特定されるものではない。また、古紙パルプにタオルの端切れを混合しても良い。タオルの端切れを混合することで端切れがつなぎの役割を果たし、軽量でありながら色紙に厚みを持たせることが出来る。
【００１２】
さらに、本考案の色紙は、Ａ４判またはＢ５判であることが好適である。Ａ４判又はＢ５判に適合した文房具が多く市販されていることから、封筒やファイル等に入れて色紙を保管したり、持ち運びをすることが容易となり、取り扱い全般が改善され、より色紙を利用しやすくなるものである。また、コピー機やスキャナに取り込み、データとして保管することも容易となる。
【考案の効果】
【００１３】
以上の構成を有することから、本考案によれば、色紙の寸法がＪＩＳ規格に定められた紙の仕上がり寸法と同じであるため、市販されている封筒やクリアファイル等に入れ、保管することが容易になる。また、色紙の持ち主又は贈り主が各自の趣向に合わせて自由に保管方法を選ぶことが可能となる。１００円均一の小売店やホームセンタ−、文房具店等、様々な場所では、ＪＩＳ規格に合わせた様々な封筒やファイル、額縁やアクリルフレーム等が安価で売られているので、特注品の額縁を作る必要もなくなり、費用の負担も激減する。さらに、コピー機やスキャナで色紙全体を読み込むことが可能となるため、色紙をデータとしてコンピュータ等に保存することができ、データ上で自由に加工することも可能となる。
【考案を実施するための最良の形態】
【００１４】
本考案の実施の１例を図面に従って説明する。
図１は従来において最も一般的な寸法の色紙を示す図である。寸法は２４２×２７２ｍｍである。このほかにも６０×９０ｍｍのかるた判、２４２×３３３ｍｍのＦ４判、３２０×４１０ｍｍのＦ６判のものがある。
【００１５】
図２は本考案の色紙を示す図である。本図面に表した色紙の寸法は２１０×２９７ｍｍで、ＪＩＳ規格のＡ４判の寸法である。
【００１６】
図３は本考案の色紙の断面図である。砂子紙又は洋紙層２、中芯層３、和紙又は上質紙層４の３層構造を有しており、中芯層には再生材が用いられている。再生材は主に古紙パルプであるが、これに特定されるものではない。また、タオルの端切れを混合してもよい。
【図面の簡単な説明】
【００１７】
【図１】従来の色紙を示す図である。
【図２】本考案を示す図である。
【図３】本考案の色紙の断面図である。
【符号の説明】
【００１８】
１    色紙
２    砂子紙又は洋紙層
３    中芯層
４    和紙又は上質紙層
【図１】
0003176688.tif 000003
【図２】
0003176688.tif 000004
【図３】
0003176688.tif 000005